(57)【要約】【課題】位牌を見ただけでその戒名本人を容易に特定できる位牌を提供することを目的とする。また、プレートを簡単な構成で位牌に取り付け、しかも、プレートを外しても枠材等が礼拝者に目立たないようにした位牌を提供することを目的とする。【解決手段】札部と脚台座との間に複数の台座が挟着された位牌であって、前記台座のうち上から二段目より下に位置する少なくとも一台座にポケットが凹設され、このポケットの正面に開口窓を備え、かつ、上面に開口溝を備えるとともに、この開口溝は直上の台座により覆設されてなるプレート付き位牌。【選択図】      図４
0003110716.tif 000002
【実用新案登録請求の範囲】
【請求項１】
札部と脚台座との間に複数の台座が挟着された位牌であって、前記複数の台座のうち上から二段目より下に位置する少なくとも一台座にポケットが凹設され、このポケットの正面に開口窓を備え、かつ、上面に開口溝を備えるとともに、この開口溝は直上の台座により覆設されてなるプレート付き位牌。
【請求項２】
前記ポケットは、繋ぎ台座の少なくとも一台座に凹設されてなることを特徴とする請求項１記載のプレート付き位牌。
【考案の詳細な説明】
【技術分野】
【０００１】
この考案は、寺院等で用いる位牌に関するものである。特に、位牌を一目見ただけで戒名あるいは院号が表示された当人のものであることを容易に特定できるように施主名等のプレートを付設するとともに、プレートの収納部は位牌としての尊厳を保つように工夫された位牌に関する。
【背景技術】
【０００２】
一般に、寺院の位牌堂には、先祖を供養するために位牌が納められる。この種の位牌は、棚に多数並べて保管され、命日に必要な位牌が取り出されて礼拝用の祭壇等に移される。その際、各位牌に書かれている戒名あるいは院号を見ただけでは、その位牌が当人のものであるか否かを容易に特定できない場合がある。
【０００３】
一方、昨今の少子化の趨勢にあって、お墓を造ってもそれを供養する者が絶え、無縁仏化する傾向にある。また、都会においては墓地を確保することが困難であるだけでなく、家庭によっては自宅に仏壇を置く場所が無い場合がある。そのため、寺院等の建物内に、仏壇形式やロッカー形式の墓が多数安置されるマンション形式の墓も見られる。即ち、位牌を寺院等に預け未来永劫供養してもらうことが多く見られるようになった。そのため、位牌堂の所定のスペースには数多くの位牌が多段、多列に並べられる。位牌の正面には、「○○家先祖代々之霊位」のように、施主の氏（うじ）に応じた表書きが表示される。ところが、このような位牌堂では、自分が所有する仏壇に位牌を安置できるが、当人の写真等である遺影を配置しておくスペースがないのが一般的である。このため、同じ名字の施主が複数ある場合、位牌の表書きが同一になるため、位牌の見分けがつかないことがある。このような時、位牌の裏側の表示を一個ずつチェックして、施主名や作成年月日を頼りに目的の位牌を探すという面倒な作業を強いられている。このように、特に、同一の氏（うじ）の位牌が多く納められる位牌堂では、位牌を探すのにかなりの時間と手間を要する等不都合がある。
【０００４】
これに対し、本出願人は、先に、位牌を見ただけで戒名当人のものであることを容易に特定できるように施主名を表示したプレートを取り付けるようにした位牌について、特許出願している。（例えば、特許文献１参照）。
【０００５】
【特許文献１】特開２００３−１６４３６９号公報
【考案の開示】
【考案が解決しようとする課題】
【０００６】
しかしながら、特許文献１に代表されるように、従来の位牌には、次のような問題点があった。
【０００７】
即ち、従来の位牌の問題点は、札部や台座にプレートを取り付けるために枠材等の特殊な部品が必要なので、部品点数が多く製造工程が複雑になる。また、位牌の外観として、プレートを取り付けるための枠材等が露出するので、従来の位牌とは違和感があり、宗教上または慣習上等の理由から、採用され難い。礼拝時にプレートを取り外すこともできるが、位牌の外観に枠材等が露出する。即ち、位牌の正面に、プレートを取り付けるための枠材等が露出するので位牌としての尊厳を損なうものになりがちである。
【０００８】
そこで、本考案は、このような現状に鑑みなされたもので、位牌を見ただけでその戒名の当人を容易に特定できる位牌を提供することを目的とする。また、プレートを簡単な構成で位牌に取り付け、しかも、プレートを外しても枠材等が礼拝者に目立たないように、しかも、位牌としての尊厳を保つように工夫した位牌を提供することを目的とする。
【課題を解決するための手段】
【０００９】
上記目的を達成するために、請求項１の考案は、札部と脚台座との間に複数の台座が挟着された位牌であって、前記複数の台座のうち上から二段目より下に位置する少なくとも一台座にポケットが凹設され、このポケットの正面に開口窓を備え、かつ、上面に開口溝を備えるとともに、この開口溝は直上の台座により覆設されてなるプレート付き位牌である。
【００１０】
また、請求項２の考案は、請求項１の考案の上記特徴に加えて、前記ポケットは、繋ぎ台座の少なくとも一台座に凹設されてなるプレート付き位牌である。
【００１１】
ここで、本明細書でいう「プレート」とは、位牌が当人のものであることを特定することを目的として、施主の氏名を標記したり、家紋を表示したり、あるいは、当人の遺影写真を貼付、印刷等して位牌に付設するための札状のものを意味する。
【００１２】
また、本明細書でいう「ポケット」とは、前記プレートを収納部する部位であって、台座を刳り貫いて位牌の正面側に凹設され、プレートの表示を位牌の正面から見ることができるようにしたものである。
【考案の効果】
【００１３】
一般に、位牌は、飾り台座、脚台座等の台座および繋ぎ台座等がこれらを貫通する札部支脚を介して、札部と各種台座とが連結、一体化される。本考案の位牌によると、これらの位牌を構成する各種台座の少なくとも一台座の正面に、ポケットを設け、このポケットの中にプレートを収納する。このことにより、プレートを収納するための枠材等の特別な部品を使用することなく、簡単に位牌にプレートを収納することができ、位牌の識別、特定が容易になる。
【００１４】
また、本考案の位牌は、プレートを挿入するための開口溝が位牌の正面側に露出しないので、位牌としての尊厳を保つ効果を奏する。プレートを取り外しても、その跡が札部あるいは台座部と同系色の色合いなので、位牌として外観上違和感がない。
【００１５】
また、台座に設ける凹状のポケットの中にプレートを収納するので、落ちる恐れもなく、確実にプレートを保持することができる効果を奏するものである。
【考案を実施するための最良の形態】
【００１６】
本考案の実施の形態を、添付図面に示した本考案の実施例に基づいて以下に具体的に説明する。
【実施例１】
【００１７】
先ず、本考案の実施例について、図１〜図５を参照しながら説明する。図１は、本考案の実施例に係る位牌を示す正面図である。図２は、同上、側面図である。 図３は、プレートを収納する前の状態の断面図である。 図４は、同上、プレートを収納した状態を示す斜視図である。図５は、同上、ポケットを示す斜視図である。なお、正面図、側面図および断面図における上下を上下方向と称し、左右を左右方向と称し、また、正面図、側面図、断面図および斜視図における物体の天地を上下方向と称する。そして、位牌における手前側を正面と称し、裏側を背面と称する。
【００１８】
図１、２に示すように、位牌１は、札部２の下方に、上から、飾り台座３、中間台座４および脚台座５が設けられている。そして、飾り台座３と中間台座４の間に繋ぎ台座６および中間台座４と脚台座５の間に繋ぎ台座７が設けられる。図３の断面図に示すように、札部２の下方は札部支脚２１が延長して構成され、この札部支脚２１が前記の各種台座の中央部に備える穴を下方へ貫通している。そして、札部支脚２１の先端部２４は、脚台座５の上面に備える脚台座穴５１へ圧入、固着される。このようにして、各種の台座は札部２の段付き部２２と脚台座５とで挟着され、位牌１として連結、一体化される。札部２の正面には施主の氏（うじ）に応じて表書き"○○家先祖代々之霊位"が表示される。札部２の背面には、位牌１の作成年月日等が表示される。
【００１９】
札部２は、木製であって表面全体が例えば黒塗りされ、この周縁部は例えば金箔塗りが施される。また、各種の台座は、飾り模様等が彫られ、例えばこの上から金箔塗りが施されている。
【００２０】
図５は、脚台座５の上に繋ぎ台座７を段積みした状態の位牌１の下部構成であり、ポケット１１にプレート１０を収納する前の状態を示している。この図に示すように、繋ぎ台座７には、正面Ａにポケット１１が凹設される。そして、ポケット１１の正面に開口窓１２を備える。また、ポケット１１の上面に開口溝１４を備え、これは下方へ穿孔されてポケット１１と連通する。そして、この開口溝１４は、ポケット１１に備える開口窓１２の幅より幅広に穿孔されている。また、繋ぎ台座７の上面中央部に備える貫通穴２３は、札部支脚２１が貫通する穴である。図３に示すように、ポケット１１に備える開口溝１４の断面を見ると、ほぼ垂直に穿孔されている。従って、この開口溝１４に挿入されるプレート１０は、繋ぎ台座７の正面Ａに向けてポケット１１の中でほぼ垂直に支持されることになる。
【００２１】
プレート１０は、紙、木材、プラスチック、金属、セラミック等の板材から作製される。板材の表面にインキ、シール等で所定の文字が記載される。なお、異なる材質の板材を組み合わせてプレート１０を作成してもよい。例えば、透明な２枚のアクリル板の間に紙片を挟んで、この紙片に施主名を表示すると、紙片のみを取り替えることでプレート表示を簡単に変更することが可能になる。また、プレート１０に色や模様を付して位牌を見分けやすくしてもよい。
【００２２】
なお、位牌は通常寺院の位牌堂に安置される。法要の際に、必要によっては、プレートをポケットから外して祭壇へ移すことも考えられる。その場合、ポケット１１のプレートを外した跡は、例えば黒塗り、金箔塗り、透かし彫刻入り等にしておけば、位牌として違和感が無くなる。
【００２３】
なお、本実施形態では、プレート１０がほぼ垂直になるように繋ぎ台座７に垂直方向の開口溝１４を穿設したが、この開口溝１４の角度を調整することにより、プレート１０を傾けて取り付けるようにしてもよい。例えば、位牌堂の棚の位置が低い場合には、プレート１０を上に向け、また、棚の位置が高い場合には、プレート１０を下に向けてもよい。
【００２４】
また、本実施例では、繋ぎ台座７にプレートを収納するポケット１１を設けることで説明したが、ポケット１１を凹設する箇所は、繋ぎ台座６でもよく、あるいは、他の種の台座、即ち、脚台座に設けても良い。即ち、一段目の飾り台座を除き、上から二段目より下部に位置する少なくとも一台座にポケットが凹設されることでもよい。その場合、位牌の全体的な外観との違和感が生じないようなポケットの枠形状あるいは色合いすることが肝要である。
【００２５】
以上のように構成され、次に作用について説明する。
【００２６】
図５に示した位牌の下部の状態で、繋ぎ台座７の上面に備える開口溝１４からポケット１１のフレーム１３の内側へプレート１０を挿入する。プレート１０がポケット１１に挿入された後、上方に連設される中間台座４によって開口溝１４が覆設されるので、開口溝１４が露出することなく外観上の問題は発生しない。従って、位牌としての尊厳を保つことができる。
【００２７】
位牌堂に位牌１を納める場合、ポケット１１の中へプレート１０を収納し、正面に施主名が見えるように立てる。プレート１０を見ることで簡単に施主の位牌を特定することができる。同一の氏（うじ）の位牌が複数存在していても、札部２の裏をいちいち見ることがなく、依頼者の位牌を簡単に探すことができる。
【００２８】
礼拝時、位牌１を祭壇等に移す場合には、位牌１からプレート１０を取り外す。このとき、礼拝者の視線で位牌１の正面を見ると、その跡あるいはポケット１１が各種台座と同系色の色合いなので違和感がない。従って、位牌１を通常の位牌と同様に扱うことができる。
【００２９】
このように位牌１によれば、枠材等の特別な部品を用いることなく、簡単な構成によりプレート１０を付設することができる。また、ポケット１１の中へプレートを挿入する際、幅広の開口溝１４から、開口窓１２より幅広のプレート１０を挿入するので、プレート１０が開口窓１２から外へ脱落する恐れもない。
【産業上の利用可能性】
【００３０】
本考案を適用する位牌は、寺院用位牌に限るものではなく、家庭用位牌にも適用することができる。また、位牌の種類としては、板位牌、繰出し位牌、過去帳繰出し位牌、白木位牌等に適用することでも勿論よい。
【図面の簡単な説明】
【００３１】
【図１】本考案の実施例に係る位牌を示す正面図である。
【図２】同上、側面図である。
【図３】同上、プレートを収納する前の状態の断面図である。
【図４】同上、プレートを収納した状態を示す斜視図である。
【図５】同上、ポケットを示す斜視図である
【符号の説明】
【００３２】
１  位牌
２  札部
２１  札部支脚
２２  段付き部
２３  貫通穴
２４  先端部
３  飾り台座
４  中間台座
５  脚台座
５１  脚台座穴
６、７  繋ぎ台座
１０  プレート
１１  ポケット
１２  開口窓
１３  フレーム
１４  開口溝
Ａ  正面
【図１】
0003110716.tif 000003
【図２】
0003110716.tif 000004
【図３】
0003110716.tif 000005
【図４】
0003110716.tif 000006
【図５】
0003110716.tif 000007